(57)【要約】【課題】  従来、ろうそくの回りに風を遮る囲いとなる円筒形の筒をおものは、主に夏期しか使用しないこの種の器具は長く収納する必要があり嵩張るものである。【解決手段】  本考案は、台形状に形成された少なくとも３枚の側板２と、隣り合う側板２の両側側辺を接続する枢動機能と着脱機能とを有した側板接続部３と、着火操作用窓４とを備えたものであり、更に、側板２を側板接続部３で接続して截台多角錐状に組設させた状態で側板２の底辺を固定すると共にローソクを立設する底部固定板５を備えたものであり、更には、底部固定板５の一辺と側板２の下辺とを枢動機能を有して接続する底部固定板接続部６を備えたものであり、加えて、底部固定板５に錘７を載置又は取着したものである。【選択図】  図１
0003103724.tif 000002
【実用新案登録請求の範囲】
【請求項１】
野外で花火に安全確実に着火するためのフードであって、台形状に不燃性部材で形成された少なくとも３枚の側板と、該隣り合う夫々の側板の両側側辺を接続する枢動機能と着脱機能とを有した側板接続部と、前記側板の何れかに穿設した着火操作用窓とを備えたことを特徴とする花火着火用フード。
【請求項２】
前記少なくとも３枚の側板を側板接続部で接続して截台多角錐状に組設させた状態で夫々の側板の底辺を固定すると共にローソクを立設する底部固定板を備えたことを特徴とする請求項１に記載の花火着火用フード。
【請求項３】
前記底部固定板の一辺と前記少なくとも３枚の側板の何れか１枚の下辺とを枢動機能を有して接続する底部固定板接続部を備えたことを特徴とする請求項２に記載の花火着火用フード。
【請求項４】
前記底部固定板に錘を載置又は取着したことを特徴とする請求項２又は請求項３に記載の花火着火用フード。
【考案の詳細な説明】
【技術分野】
【０００１】  本考案は、風のある野外等で花火に安全確実に着火するための花火着火用フードに関するものであり、更に詳細には、芝生のような地面でも、浜辺のような地面でも安定して載置できると共に、持ち運び及び収納が容易にできる花火着火用フードに関するものである。
【背景技術】
【０００２】  従来から、野外で花火に着火しようとするとき風によってローソクやライターの種火が消えてしまい、着火に苦労したことは大半の人が経験しているものである。【０００３】  その為に、例えば、ろうそくの回りに風を遮る囲いとなる円筒形の筒等をおき、且つ、火を着けるときじゃまにならないように容易に取り外しができるようにし、底板の代りに円筒形の筒に曲げ物で作ったろうそく立てを取り付けたもの（特許文献１）や、上面が解放され、根元に向かってすぼめられた略逆錐体からなるフード部と、該フード部の根元に接続されたライター装着部とからなり、前記フード部の側面にライターを着火するために指を挿入しうる開口部が形成されているもの（特許文献２）や、ガスライターを収納し得る風防カバーと、この風防カバー内部に設けたライターホルダーから構成され、このライターホルダーの内部に着火操作部を設けたもの（特許文献３）等が開示されている。
【特許文献１】実開平６−６０９１３号公報（第２頁）
【特許文献２】実開平６−７４８４６号公報（第２頁）
【特許文献３】特開２００１−２０８３４５号公報（第１頁）
【考案の開示】
【考案が解決しようとする課題】
【０００４】  然し乍ら、ろうそくの回りに風を遮る囲いとなる円筒形の筒をおき、かつ火を着けるときじゃまにならないように容易に取り外しができるようにし、底板の代りに円筒形の筒に曲げ物で作ったろうそく立てを取り付けたものでは、風は遮られるものの主として夏期しか使用しないこの種の器具は長く収納する必要があり嵩張るものであり、更に、上面が解放され、根元に向かってすぼめられた略逆錐体からなるフード部と、該フード部の根元に接続されたライター装着部とからなり、前記フード部の側面にライターを着火するために指を挿入しうる開口部が形成されているものでは、花火の着火にも用いられるものであるが、可搬式のもので単にライターの炎の周りにフードを設けたものに過ぎないもので、着火の際にライターの炎は風から遮蔽されるものの、安全確実に着火するものではなく、更には、ガスライターを収納し得る風防カバーと、この風防カバー内部に設けたライターホルダーから構成され、このライターホルダーの内部に着火操作部を設けたものでも、前述と同様なものである。
【課題を解決するための手段】
【０００５】  本考案の花火着火用フードは、前述の課題に鑑み、鋭意研鑽の結果、台形状に不燃性部材で形成された少なくとも３枚の側板と、隣り合う側板の両側側辺を接続する枢動機能と着脱機能とを有した側板接続部と、側板に穿設した着火操作用窓とを備えたものであり、更に、少なくとも３枚の側板を側板接続部で接続して截台多角錐状に組設させた状態で側板の底辺を固定すると共にローソクを立設する底部固定板を備えたものであり、更には、底部固定板の一辺と少なくとも３枚の側板の何れか１枚の下辺とを枢動機能を有して接続する底部固定板接続部を備えたものであり、加えて、底部固定板に錘を載置又は取着したものである。
【考案の効果】
【０００６】  本考案の花火着火用フードは、前述の構成により、平坦でない芝生の上や浜辺の砂の上等でも安定して載置できると共に、芝生や周りのものへの飛び火を防止し、更には、使用しない時は折りたたんでコンパクトにでき、携帯及び収納が容易な花火着火用のフードを提供できる画期的で実用性の高い考案である。
【考案を実施するための最良の形態】
【０００７】  本考案は、風のある野外等で花火に安全確実に着火するための花火着火用フードに関するものであり、更に詳細には、芝生のような地面でも、浜辺のような地面でも安定して載置できると共に、持ち運び又は収納が容易にできる花火着火用フードに関するものであり、請求項１に記載の花火着火用フードは、野外で花火に安全確実に着火するためのフードであって、台形状に不燃性部材で形成された少なくとも３枚の側板２と、該隣り合う夫々の側板２の両側側辺を接続する枢動機能と着脱機能とを有した側板接続部３と、前記側板２の何れかに穿設した着火操作用窓４とを備えたものである。【０００８】  更に、請求項２に記載の花火着火用フードは、請求項１に記載の花火着火用フードにおいて、前記少なくとも３枚の側板２を側板接続部３で接続して截台多角錐状に組設させた状態で夫々の側板２の底辺を固定すると共にローソクＡを立設する底部固定板５を備えたものである。【０００９】  更には、請求項３に記載の花火着火用フードは、請求項２に記載の花火着火用フード１において、前記底部固定板５の一辺と前記少なくとも３枚の側板２の何れか１枚の下辺とを枢動機能を有して接続する底部固定板接続部６を備えたものである。【００１０】  更には、請求項４に記載の花火着火用フードは、請求項２又は請求項３に記載の花火着火用フードにおいて、前記底部固定板に錘を載置又は取着したものである。
【実施例】
【００１１】  以下、本考案の花火着火用フードの実施例の図面によって具体的に説明すると、図１は本考案の花火着火用フードの実施例１を説明するための展開図であり、図２は本考案の花火着火用フードの実施例２を説明するための展開図であり、図３は本考案の花火着火用フードの実施例３を説明するための展開図であり、図４は本考案の花火着火用フードの実施例４を説明するための展開図であり、図５は本考案の花火着火用フードの実施例３を説明するための組設状態の平面図であり、図６は本考案の花火着火用フードの実施例４を説明するための組設状態の平面図であり、図５は本考案の花火着火用フードの収納時を説明するための側面図である。【００１２】  即ち、本考案の花火着火用フード１の側板２は、不燃性部材の鉄、ステンレス、アルミニウム等の金属製又は不燃性の合成樹脂等で平板の台形状に形成しているものである。【００１３】  そして、側板２は少なくとも３枚で構成されるもので、後述する側板接続部３で接続されると截台多角錐状の筒状に組設されるもので、側板２を３枚用いると截台三角錐状であり、４枚用いると截台四角錐状に組設されるものである。【００１４】  次に、側板接続部３は側板２の両側側辺に設けた枢動機能と着脱機能とを有して接続されるものであり、例えば、側板２の両側側辺の合致する位置の数カ所に小孔を穿設し、開閉可能なリング３ａを挿通させて枢動と着脱とを可能としたものでも、両側側辺の全体に又は部分的に筒状部を形成して、該筒状部に挿脱可能の枢動ピンを挿通させたヒンジ構造を用いて枢動と着脱とを可能としたものでも構わないものである。【００１５】  次いで、着火操作用窓４は少なくとも３枚で構成される側板２の何れかに穿設したものであり、複数の側板２に穿設しても構わないものであり、形状も円形状、矩形状、ダイヤ型、ハート型等任意なもので、加えて、着火操作用窓４を閉鎖する窓用扉４ａを設けることも任意なものである。【００１６】  更に、底部固定板５は少なくとも３枚の側板２を側板接続部３を接続するよって截台多角錐状の筒状に組設された状態で、夫々の側板２の底辺を固定すると共にローソクＡを立設するもので、截台多角錐状の筒状の花火着火用フード１は上方及び下方が開口しており、下方の開口を閉鎖すると共にローソクＡを立設させるものである。【００１７】  本考案の花火着火用フード１は截台多角錐状に組設した状態で地面の上に載置し、上方の開口から花火を挿通させて着火操作用窓４からライターによって着火させても囲われた少なくとも３枚の側板２により風が遮られるものである。【００１８】  更に、底部固定板５を地面の上に載置してローソクＡを立設させて、花火着火用フード１をその上に載置し、着火操作用窓４からローソクＡに着火し、花火着火用フード１の上方の開口から花火を挿通させて花火に着火するものである。【００１９】  更には、本考案の花火着火用フードの実施例３．４においては、底部固定板５の一辺と何れか１枚の側板２の下辺とを枢動機能を有したリング３ａやヒンジで接続した底部固定板接続部６を備えたものである。【００２０】  次いで、錘７は例えばポリプロピン等の合成樹脂を中空環状に形成し中に水を充填したものを用いても、ある程度���量を有するもので構わなく、底部固定板５の上に載置しても、又は、両面テープで底部固定板５の下に取着しも構わないもので、突風による移動や転倒を防止するものである。【００２１】  そして、収納の際は、図７に図示する如く、接続されている側板２の何れかの側板接続部３を外して蛇腹折りして積層させて収納するか、全部の側板接続部３を外して複数の側板３を重ね合わせて収納するものである。【００２２】  更に、側板２の上方に把持するための取手孔を穿設することも任意なもので、取手孔によって携帯や移動が容易となるものである。
【産業上の利用可能性】
【００２３】  本考案の花火着火用フードは、野外等で子供達が花火をする場合、安全確実に着火させるためのものである。
【図面の簡単な説明】
【００２４】
【図１】  図１は本考案の花火着火用フードの実施例１を説明するための展開図である。
【図２】  図２は本考案の花火着火用フードの実施例２を説明するための展開図である。
【図３】  図３は本考案の花火着火用フードの実施例３を説明するための展開図である。
【図４】  図４は本考案の花火着火用フードの実施例４を説明するための展開図である。
【図５】  図５は本考案の花火着火用フードの実施例３を説明するための組設状態の平面図である。
【図６】  図４は本考案の花火着火用フードの実施例２を説明するための組設状態の平面図である。
【図７】  図７は本考案の花火着火用フードの収納時を説明するための側面図である。
【符号の説明】
【００２５】１      花火着火用フード
２      側板
３      側板接続部
３ａ    リング
４      着火操作用窓
４ａ    窓用扉
５      底部固定板
６      底部固定板接続部
７      錘
Ａ      ローソク
【図１】
0003103724.tif 000003
【図２】
0003103724.tif 000004
【図３】
0003103724.tif 000005
【図４】
0003103724.tif 000006
【図５】
0003103724.tif 000007
【図６】
0003103724.tif 000008
【図７】
0003103724.tif 000009